(57)【特許請求の範囲】
【請求項１】
互いに異なる特性を有する複数の選択候補光ファイバの中から、所定の特性を有する光ファイバ伝送路を構成するための１又は複数の光ファイバを選択する光ファイバ選択システムにおいて、
前記複数の選択候補光ファイバの中から、遺伝的アルゴリズムを用いて、前記１又は複数の光ファイバを選択する選択手段と、
前記選択手段によって複数の光ファイバが選択された場合、前記光ファイバ伝送路の等価実効コア断面積が最大となるように、選択された複数の光ファイバそれぞれの配列順序を決定する決定手段と、
を備えたことを特徴とする光ファイバ選択システム。
【請求項２】
前記複数の選択候補光ファイバには、信号光波長における波長分散が正である光ファイバと、信号光波長における波長分散が負である光ファイバとが含まれており、
前記選択手段は、信号光波長における波長分散が正である光ファイバと信号光波長における波長分散が負である光ファイバとを含むように、前記複数の光ファイバを選択する
ことを特徴とする請求項１に記載の光ファイバ選択システム。
【請求項３】
前記複数の選択候補光ファイバには、信号光波長における分散スロープが正である光ファイバと、信号光波長における分散スロープが負である光ファイバとが含まれており、
前記選択手段は、信号光波長における分散スロープが正である光ファイバと信号光波長における分散スロープが負である光ファイバとを含むように、前記複数の光ファイバを選択する
ことを特徴とする請求項１に記載の光ファイバ選択システム。
【請求項４】
互いに異なる特性を有する複数の選択候補光ファイバの中から、所定の特性を有する光ファイバ伝送路を構成するための１又は複数の光ファイバを選択する光ファイバ選択方法において、
前記複数の選択候補光ファイバの中から、遺伝的アルゴリズムを用いて、前記１又は複数の光ファイバを選択する選択ステップと、
前記選択ステップにおいて複数の光ファイバが選択された場合、前記光ファイバ伝送路の等価実効コア断面積が最大となるように、選択された複数の光ファイバそれぞれの配列順序を決定する決定ステップと、
を備えたことを特徴とする光ファイバ選択方法。
【請求項５】
前記複数の選択候補光ファイバには、信号光波長における波長分散が正である光ファイバと、信号光波長における波長分散が負である光ファイバとが含まれており、
前記選択ステップは、信号光波長における波長分散が正である光ファイバと信号光波長における波長分散が負である光ファイバとを含むように、前記複数の光ファイバを選択する
ことを特徴とする請求項４に記載の光ファイバ選択方法。
【請求項６】
前記複数の選択候補光ファイバには、信号光波長における分散スロープが正である光ファイバと、信号光波長における分散スロープが負である光ファイバとが含まれており、
前記選択ステップは、信号光波長における分散スロープが正である光ファイバと信号光波長における分散スロープが負である光ファイバとを含むように、前記複数の光ファイバを選択する
ことを特徴とする請求項４に記載の光ファイバ選択方法。
【請求項７】
互いに異なる特性を有する複数の選択候補光ファイバの中から複数の光ファイバを選択し、選択された複数の光ファイバそれぞれを接続することによって所定の特性を有する光ファイバ伝送路を製造する光ファイバ伝送路の製造方法において、
前記複数の選択候補光ファイバの中から、遺伝的アルゴリズムを用いて、前記複数の光ファイバを選択する選択ステップと、
前記光ファイバ伝送路の等価実効コア断面積が最大となるように、前記選択ステップにおいて選択された前記複数の光ファイバそれぞれの配列順序を決定する決定ステップと、
前記選択ステップにおいて選択された前記複数の光ファイバそれぞれを、前記決定ステップにおいて決定された前記配列順序に従って接続する接続ステップと、
を備えたことを特徴とする光ファイバ伝送路の製造方法。
【請求項８】
前記複数の選択候補光ファイバには、信号光波長における波長分散が正である光ファイバと、信号光波長における波長分散が負である光ファイバとが含まれており、
前記選択ステップは、信号光波長における波長分散が正である光ファイバと信号光波長における波長分散が負である光ファイバとを含むように、前記複数の光ファイバを選択する
ことを特徴とする請求項７に記載の光ファイバ伝送路の製造方法。
【請求項９】
前記複数の選択候補光ファイバには、信号光波長における分散スロープが正である光ファイバと、信号光波長における分散スロープが負である光ファイバとが含まれており、
前記選択ステップは、信号光波長における分散スロープが正である光ファイバと信号光波長における分散スロープが負である光ファイバとを含むように、前記複数の光ファイバを選択する
ことを特徴とする請求項７に記載の光ファイバ伝送路の製造方法。
【請求項１０】
請求項７〜９のいずれか１項に記載の光ファイバ伝送路の製造方法によって製造された
ことを特徴とする光ファイバ伝送路。
【請求項１１】
請求項１０に記載の光ファイバ伝送路を含む
ことを特徴とする光ファイバケーブル。
【請求項１２】
コンピュータに、互いに異なる特性を有する複数の選択候補光ファイバの中から、所定の特性を有する光ファイバ伝送路を構成するための１又は複数の光ファイバを選択させる光ファイバ選択プログラムにおいて、
コンピュータに、
前記複数の選択候補光ファイバの中から、遺伝的アルゴリズムを用いて、前記１又は複数の光ファイバを選択する選択ステップと、
前記選択ステップにおいて複数の光ファイバが選択された場合、前記光ファイバ伝送路の等価実効コア断面積が最大となるように、選択された複数の光ファイバそれぞれの配列順序を決定する決定ステップと、
を実行させることを特徴とする光ファイバ選択プログラム。
【請求項１３】
前記複数の選択候補光ファイバには、信号光波長における波長分散が正である光ファイバと、信号光波長における波長分散が負である光ファイバとが含まれており、
前記選択ステップは、信号光波長における波長分散が正である光ファイバと信号光波長における波長分散が負である光ファイバとを含むように、前記複数の光ファイバを選択する
ことを特徴とする請求項１２に記載の光ファイバ選択プログラム。
【請求項１４】
前記複数の選択候補光ファイバには、信号光波長における分散スロープが正である光ファイバと、信号光波長における分散スロープが負である光ファイバとが含まれており、
前記選択ステップは、信号光波長における分散スロープが正である光ファイバと信号光波長における分散スロープが負である光ファイバとを含むように、前記複数の光ファイバを選択する
ことを特徴とする請求項１２に記載の光ファイバ選択プログラム。
【発明の詳細な説明】
【０００１】
【発明の属する技術分野】
本発明は、光ファイバ選択システム、光ファイバ選択方法、光ファイバ伝送路の製造方法、光ファイバ伝送路、光ファイバケーブル及び光ファイバ選択プログラムに関するものである。
【０００２】
【従来の技術】
例えば海底ケーブルなどに用いられる長尺の光ファイバ伝送路を構成する場合、複数の選択候補光ファイバの中からいくつかの光ファイバを選択し、選択された光ファイバを接続して、所望の長さの光ファイバ伝送路を構成することが行われている。
【０００３】
ここで、海底ケーブル用のみならず、光ケーブルに用いられる光ファイバは、ケーブルの布設や修理の際に大きな歪みを受けるため、所定の強度を求められる。このため、製造工程で高張力をかけたプルーフ試験が必要であり、低強度部を強制的に断線させることが行われる。従って、接続前の光ファイバの長さは数ｋｍ〜数十ｋｍとばらばらであることが多い。
【０００４】
【発明が解決しようとする課題】
一方、光通信技術の高度化に伴い、構造設計の異なる複数の光ファイバを接続して構成される光ファイバ伝送路には、長さのみならず、波長分散、分散スロープ、接続点数、等価実効コア断面積、伝送損失など、様々な特性が所望の範囲内に収まっていることが要求されるようになってきている。これにより、接続後の光ファイバ伝送路を用いて波長多重方式の光通信を行う場合に、四波混合などの非線形現象を避け、より長距離の無中継光通信が可能となる。この場合、複数の光ファイバを接続して光ファイバ伝送路を構成するためには、上記様々な特性それぞれについての制約条件を考慮した上で、接続すべき複数の光ファイバ（単一の光ファイバである場合もある）を選択しなくてはならず、かかる光ファイバの選択は極めて困難である。その結果、効率の良い選択が行われにくく、選択されずに廃却される光ファイバの量も増加する。また、光ファイバの構造設計が同一であっても、製造ばらつきにより、上記特性にはある程度の分布が生じてしまうことが通常である。
【０００５】
また、近年では、互いに異なる２つの伝送特性を有する光ファイバ（例えば波長分散と分散スロープとがともに正である光ファイバと波長分散と分散スロープとがともに負である光ファイバ）を積極的に組み合わせることにより光ファイバ伝送路全体として所望の特性を実現する、いわゆるハイブリッド型の光ファイバ伝送路も増えてきている。この場合は、光ファイバ伝送路の特性に重大な影響を与える要素となる上記互いに異なる２つの伝送特性を有する光ファイバそれぞれの長さ比などをも考慮しなければならず、光ファイバ選択の困難性は増大する。
【０００６】
ここで、コンピュータを用いて、考えられるすべての光ファイバの組み合わせによって光ファイバ伝送路を構成した場合の当該光ファイバ伝送路の伝送特性それぞれを算出し、最適な光ファイバの組み合わせを得る（光ファイバを選択する）ことも考えられる（いわゆる総当たり法）が、計算時間が多大となることから現実的ではない。また、たとえ最適な光ファイバの組み合わせを得たとしても、従来の方法においては、選択されずに残った光ファイバは廃却せざるを得ず、その廃却長を少なくするという観点も含めた組み合わせ方法を得ることが困難であった。
【０００７】
例えば、波長分割多重伝送（ＷＤＭ）などを考えると、中継器間隔に相当する単位区間の伝送路は分散スロープの絶対値は小さい（理想的にはゼロ）ことが望ましい。また、波長分散は、伝送に使用する波長においてゼロでない特定の値の近傍に合わせる必要がある。この条件を満たすように、光ファイバの特性を考慮しなければならない。
【０００８】
また、長尺の光ファイバを分割する際に生じた端尺の光ファイバをさらに別の光ファイバと組み合わせて有効利用することもある。光ファイバの長さが変わると、長さに応じて単純に比例的に変化する特性については予測が容易であるが、例えば波長分散などの特性はそうとはならず、予測が極めて困難となる。また、短い光ファイバを接続する場合も、例えば等価実効コア断面積などのように単純な算術和にならない特性は、予測が極めて困難となる。
【０００９】
そこで、本発明は、互いに異なる特性を有する複数の選択候補光ファイバの中から、所定の特性を有する光ファイバ伝送路を構成するための１又は複数の光ファイバを選択する際に、かかる１又は複数の光ファイバを効率よく選択することができる光ファイバ選択システム、光ファイバ選択方法、及び、これを用いた光ファイバ伝送路の製造方法、光ファイバ伝送路、光ファイバケーブル、並びに、上記光ファイバ選択方法を実現するための光ファイバ選択プログラムを提供することを課題とする。
【００１０】
【課題を解決するための手段】
上記課題を解決するために、本発明の光ファイバ選択システムは、互いに異なる特性を有する複数の選択候補光ファイバの中から、所定の特性を有する光ファイバ伝送路を構成するための１又は複数の光ファイバを選択する光ファイバ選択システムであって、上記複数の選択候補光ファイバの中から、遺伝的アルゴリズムを用いて、上記１又は複数の光ファイバを選択する選択手段と、選択手段によって複数の光ファイバが選択された場合、光ファイバ伝送路の等価実効コア断面積が最大となるように、選択された複数の光ファイバそれぞれの配列順序を決定する決定手段と、を備えたことを特徴としている。
【００１１】
遺伝的アルゴリズムを用いて光ファイバを選択することで、総当たり法によって光ファイバを選択する場合と比較して、極めて少ない計算回数で光ファイバを選択することができる。また、遺伝的アルゴリズムを用いて光ファイバを選択することで、共益勾配法などの最適化手法によって光ファイバを選択する場合と比較して、局所的な最適解（ローカルミニマム）に陥る可能性が低減され、全体にわたって好適な光ファイバあるいは光ファイバの組み合わせを選択することができる。そして、光ファイバ伝送路の等価実効コア断面積が最大となるように、選択された複数の光ファイバそれぞれの配列順序を決定することで、信号伝送に悪影響を及ぼす非線形現象の発生を低減することができる。
【００１２】
また、本発明の光ファイバ選択システムにおいては、上記複数の選択候補光ファイバには、信号光波長における波長分散が正である光ファイバと、信号光波長における波長分散が負である光ファイバとが含まれており、上記選択手段は、信号光波長における波長分散が正である光ファイバと信号光波長における波長分散が負である光ファイバとを含むように、上記複数の光ファイバを選択することを特徴とすることが好適である。
【００１３】
信号光波長における波長分散が正である光ファイバと、信号光波長における波長分散が負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００１４】
また、本発明の光ファイバ選択システムにおいては、上記複数の選択候補光ファイバには、信号光波長における分散スロープが正である光ファイバと、信号光波長における分散スロープが負である光ファイバとが含まれており、上記選択手段は、信号光波長における分散スロープが正である光ファイバと信号光波長における分散スロープが負である光ファイバとを含むように、上記複数の光ファイバを選択することを特徴とすることが好適である。
【００１５】
信号光波長における分散スロープが正である光ファイバと、信号光波長における分散スロープが負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００１８】
また、上記課題を解決するために、本発明の光ファイバ選択方法は、互いに異なる特性を有する複数の選択候補光ファイバの中から、所定の特性を有する光ファイバ伝送路を構成するための１又は複数の光ファイバを選択する光ファイバ選択方法であって、上記複数の選択候補光ファイバの中から、遺伝的アルゴリズムを用いて、上記１又は複数の光ファイバを選択する選択ステップと、選択ステップにおいて複数の光ファイバが選択された場合、光ファイバ伝送路の等価実効コア断面積が最大となるように、選択された複数の光ファイバそれぞれの配列順序を決定する決定ステップと、を備えたことを特徴としている。
【００１９】
遺伝的アルゴリズムを用いて光ファイバを選択することで、総当たり法によって光ファイバを選択する場合と比較して、極めて少ない計算回数で光ファイバを選択することができる。また、遺伝的アルゴリズムを用いて光ファイバを選択することで、共益勾配法などの最適化手法によって光ファイバを選択する場合と比較して、局所的な最適解（ローカルミニマム）に陥る可能性が低減され、全体にわたって好適な光ファイバあるいは光ファイバの組み合わせを選択することができる。そして、光ファイバ伝送路の等価実効コア断面積が最大となるように、選択された複数の光ファイバそれぞれの配列順序を決定することで、信号伝送に悪影響を及ぼす非線形現象の発生を低減することができる。
【００２０】
また、本発明の光ファイバ選択方法においては、上記複数の選択候補光ファイバには、信号光波長における波長分散が正である光ファイバと、信号光波長における波長分散が負である光ファイバとが含まれており、上記選択ステップは、信号光波長における波長分散が正である光ファイバと信号光波長における波長分散が負である光ファイバとを含むように、上記複数の光ファイバを選択することを特徴とすることが好適である。
【００２１】
信号光波長における波長分散が正である光ファイバと、信号光波長における波長分散が負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００２２】
また、本発明の光ファイバ選択方法においては、上記複数の選択候補光ファイバには、信号光波長における分散スロープが正である光ファイバと、信号光波長における分散スロープが負である光ファイバとが含まれており、上記選択ステップは、信号光波長における分散スロープが正である光ファイバと信号光波長における分散スロープが負である光ファイバとを含むように、上記複数の光ファイバを選択することを特徴とすることが好適である。
【００２３】
信号光波長における分散スロープが正である光ファイバと、信号光波長における分散スロープが負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００２６】
また、本発明の光るファイバ伝送路の製造方法は、互いに異なる特性を有する複数の選択候補光ファイバの中から複数の光ファイバを選択し、選択された複数の光ファイバそれぞれを接続することによって所定の特性を有する光ファイバ伝送路を製造する光ファイバ伝送路の製造方法であって、上記複数の選択候補光ファイバの中から、遺伝的アルゴリズムを用いて、上記複数の光ファイバを選択する選択ステップと、光ファイバ伝送路の等価実効コア断面積が最大となるように、選択ステップにおいて選択された複数の光ファイバそれぞれの配列順序を決定する決定ステップと、上記選択ステップにおいて選択された上記複数の光ファイバそれぞれを、決定ステップにおいて決定された配列順序に従って接続する接続ステップと、とを備えたことを特徴としている。
【００２７】
遺伝的アルゴリズムを用いて光ファイバを選択することで、総当たり法によって光ファイバを選択する場合と比較して、極めて少ない計算回数で光ファイバを選択することができる。また、遺伝的アルゴリズムを用いて光ファイバを選択することで、共益勾配法などの最適化手法によって光ファイバを選択する場合と比較して、局所的な最適解（ローカルミニマム）に陥る可能性が低減され、全体にわたって好適な光ファイバあるいは光ファイバの組み合わせを選択することができる。そして、光ファイバ伝送路の等価実効コア断面積が最大となるように、選択された複数の光ファイバそれぞれの配列順序を決定することで、信号伝送に悪影響を及ぼす非線形現象の発生を低減することができる。
【００２８】
また、本発明の光ファイバ伝送路の製造方法においては、上記複数の選択候補光ファイバには、信号光波長における波長分散が正である光ファイバと、信号光波長における波長分散が負である光ファイバとが含まれており、上記選択ステップは、信号光波長における波長分散が正である光ファイバと信号光波長における波長分散が負である光ファイバとを含むように、上記複数の光ファイバを選択することを特徴とすることが好適である。
【００２９】
信号光波長における波長分散が正である光ファイバと、信号光波長における波長分散が負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００３０】
また、本発明の光ファイバ伝送路の製造方法においては、上記複数の選択候補光ファイバには、信号光波長における分散スロープが正である光ファイバと、信号光波長における分散スロープが負である光ファイバとが含まれており、上記選択ステップは、信号光波長における分散スロープが正である光ファイバと信号光波長における分散スロープが負である光ファイバとを含むように、上記複数の光ファイバを選択することを特徴とすることが好適である。
【００３１】
信号光波長における分散スロープが正である光ファイバと、信号光波長における分散スロープが負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００３４】
また、本発明の光ファイバ伝送路は、上記いずれかの光ファイバ伝送路の製造方法によって製造されたことを特徴としている。
【００３５】
上記いずれかの光ファイバ伝送路の製造方法によって製造されることで、光ファイバ伝送路を構成する光ファイバの選択を効率よく行うことができる。
【００３６】
また、本発明の光ファイバケーブルは、上記いずれかの光ファイバ伝送路の製造方法によって製造された光ファイバ伝送路を含むことを特徴としている。
【００３７】
光ファイバケーブルに含まれる光ファイバ伝送路が上記いずれかの光ファイバ伝送路の製造方法によって製造されることで、光ファイバ伝送路を構成する光ファイバの選択を効率よく行うことができる。
【００３８】
また、上記課題を解決するために、本発明の光ファイバ選択プログラムは、コンピュータに、互いに異なる特性を有する複数の選択候補光ファイバの中から、所定の特性を有する光ファイバ伝送路を構成するための１又は複数の光ファイバを選択させる光ファイバ選択プログラムであって、コンピュータに、上記複数の選択候補光ファイバの中から、遺伝的アルゴリズムを用いて、上記１又は複数の光ファイバを選択する選択ステップと、選択ステップにおいて複数の光ファイバが選択された場合、光ファイバ伝送路の等価実効コア断面積が最大となるように、選択された複数の光ファイバそれぞれの配列順序を決定する決定ステップと、を実行させることを特徴としている。
【００３９】
当該プログラムをコンピュータに実行させ、遺伝的アルゴリズムを用いて光ファイバを選択することで、総当たり法によって光ファイバを選択する場合と比較して、極めて少ない計算回数で光ファイバを選択することができる。また、遺伝的アルゴリズムを用いて光ファイバを選択することで、共益勾配法などの最適化手法によって光ファイバを選択する場合と比較して、局所的な最適解（ローカルミニマム）に陥る可能性が低減され、全体にわたって好適な光ファイバあるいは光ファイバの組み合わせを選択することができる。また、当該プログラムをコンピュータに実行させ、光ファイバ伝送路の等価実効コア断面積が最大となるように、選択された複数の光ファイバそれぞれの配列順序を決定することで、信号伝送に悪影響を及ぼす非線形現象の発生を低減することができる。
【００４０】
また、本発明の光ファイバ選択プログラムにおいては、上記複数の選択候補光ファイバには、信号光波長における波長分散が正である光ファイバと、信号光波長における波長分散が負である光ファイバとが含まれており、上記選択ステップは、信号光波長における波長分散が正である光ファイバと信号光波長における波長分散が負である光ファイバとを含むように、上記複数の光ファイバを選択することを特徴とすることが好適である。
【００４１】
信号光波長における波長分散が正である光ファイバと、信号光波長における波長分散が負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００４２】
また、本発明の光ファイバ選択プログラムにおいては、上記複数の選択候補光ファイバには、信号光波長における分散スロープが正である光ファイバと、信号光波長における分散スロープが負である光ファイバとが含まれており、上記選択ステップは、信号光波長における分散スロープが正である光ファイバと信号光波長における分散スロープが負である光ファイバとを含むように、上記複数の光ファイバを選択することを特徴とすることが好適である。
【００４３】
信号光波長における分散スロープが正である光ファイバと、信号光波長における分散スロープが負である光ファイバとを接続して光ファイバ伝送路を構成する場合は、上記２種の光ファイバそれぞれの長さ比などをも考慮しなければならず、光ファイバ選択の困難性は増大する。従って、このような場合に遺伝的アルゴリズムを用いて光ファイバを選択することで、かかる光ファイバ選択の困難性を緩和することができる。
【００５２】
【発明の実施の形態】
本発明の実施形態にかかる光ファイバ選択システムについて図面を参照して説明する。本実施形態にかかる光ファイバ選択システムは、互いに異なる特性を有する複数の選択候補光ファイバの中から、所定の特性を有する光ファイバ伝送路を構成するための１又は複数の光ファイバを選択する光ファイバ選択システムである。まず、本実施形態にかかる光ファイバ選択システムの構成について説明する。図１は、本実施形態にかかる光ファイバ選択システムの構成図である。
【００５３】
本実施形態にかかる光ファイバ選択システム１０は、物理的には、ＣＰＵ（中央処理装置）、メモリ、マウスやキーボードなどの入力装置、ディスプレイなどの表示装置、ハードディスクなどの格納装置などを備えたコンピュータシステムとして構成されている。また、光ファイバ選択システム１０は、機能的な構成要素として、図１に示すように、格納部１２と、光ファイバ選択部１４（選択手段）と、配列順序決定部１６（決定手段）とを備えて構成される。以下、各構成要素について詳細に説明する。
【００５４】
格納部１２には、光ファイバデータベース１２ａが格納されている。図２は、光ファイバデータベース１２ａの構成図である。光ファイバデータベース１２ａは、図２に示すように、光ファイバ伝送路を構成するための候補となる複数（例えば１００本程度）の選択候補光ファイバそれぞれの特性が格納されている。かかる特性としては、例えば、光ファイバの長さ、信号光波長における波長分散（以下、単に波長分散という）、信号光波長における分散スロープ（以下、単に分散スロープという）、実効コア断面積、ファイバ損失、非線形屈折率などが該当する。
【００５５】
また、上記複数の選択候補光ファイバは、互いに異なる特性を有する光ファイバである。ここで、互いに異なる特性を有する光ファイバというのは、上記複数の選択候補光ファイバすべてが同一の特性を有しているわけではないことを意味し、上記複数の選択候補光ファイバの一部が同一の特性を有する場合も含まれる。この場合、設計値が同じであっても、製造時のばらつきなどによって実際の特性が互いに微妙に異なる複数の光ファイバを、互いに異なる特性を有する光ファイバと考えることもできる。また、上記複数の選択候補光ファイバの中には、信号光波長（例えば１．５５μｍ）における波長分散が正である光ファイバと信号光波長における波長分散が負である光ファイバとの双方が含まれており、また、信号光波長における分散スロープが正である光ファイバと信号光波長における分散スロープが負である光ファイバとの双方が含まれている。
【００５６】
図１に戻って、光ファイバ選択部１４は、光ファイバデータベース１２ａに特性が格納されている複数の選択候補光ファイバの中から、遺伝的アルゴリズムを用いて、所定の特性を有する光ファイバ伝送路を構成するための１又は複数の光ファイバを選択する。より詳細には、光ファイバ選択部１４は、複数の選択候補光ファイバそれぞれが選択されるか否かをそれぞれ”１”、”０”で表した”１”と”０”との配列（選択候補光ファイバが１００本有れば、１００桁の２進数の配列）を遺伝子にみたて、選択、交配、突然変異を行いながら世代を繰り返し、光ファイバ伝送路に関して予め定められた評価指標に対して適応度の高い光ファイバの組み合わせを探索し、探索された光ファイバを光ファイバ伝送路を構成するための光ファイバとして選択する。なお、遺伝的アルゴリズムを用いて光ファイバを選択する具体的手順については後に詳述する。
【００５７】
配列順序決定部１６は、光ファイバ選択部１４によって複数の光ファイバが選択された場合、光ファイバ伝送路の等価実効コア断面積が最大となるように、選択された複数の光ファイバそれぞれの配列順序を決定する。ここで、複数の光ファイバを接続してなる光ファイバ伝送路の等価実効コア断面積Ａeffは、下記式（１）によって表される。
【数１】
0004337276.tif 000002
ここで、α（Ｆi）、Ａeff（Ｆi）、ｎ2（Ｆi）、Ｌ（Ｆi）それぞれは、ｉ番目に接続される光ファイバＦiのファイバ損失、実効コア断面積、非線形屈折率、長さであり、α（Ｒｅ）、Ａeff（Ｒｅ）、ｎ2（Ｒｅ）、Ｌ（Ｒｅ）それぞれは、リファレンスファイバＦiのファイバ損失、実効コア断面積、非線形屈折率、長さである。また、Ｓｐ（Ｆi）は、ｉ番目に接続される光ファイバＦiとｉ＋１番目に接続される光ファイバＦi+1との間の接続損失である。ここでは、α（Ｆ0）、ｎ2（Ｆ0）、Ｌ（Ｆ0）をすべて１とする。
【００５８】
配列順序決定部１６は、上記式（１）の値が最大となるように、複数の光ファイバそれぞれの配列順序を決定する。ここで、光ファイバ選択部１４によって選択される光ファイバの数は、選択候補光ファイバの数と比較すれば小さい。従って、配列順序決定部１６は、例えば、光ファイバ選択部１４によって選択された光ファイバについて考えられるあらゆる配列順序に関して上記式（１）を用いて光ファイバ伝送路の等価実効コア断面積を算出し、かかる等価実効コア断面積が最大となるような配列順序を決定すればよい。尚、光ファイバ選択部１４により、光ファイバ伝送路を構成する光ファイバとして単一の光ファイバが選択された場合、配列順序決定部１６は、配列順序の決定を行わない。
【００５９】
尚、上記光ファイバ選択部１４によって選択された複数の光ファイバそれぞれは、配列順序決定部１６によって決定された配列順序（電子データとして記録されたもの、紙媒体にプリントアウトされたものなど）に従い、光ファイバ接続装置１８によって接続される。その結果、かかる複数の光ファイバによって構成される光ファイバ伝送路が製造される。上述のように、選択された複数の光ファイバからなる光ファイバ伝送路の特性が個別の光ファイバの特性の算術和にならない場合でも、適切な評価演算により上記光ファイバ伝送路の特性を評価することで光ファイバの適切な選択を可能にできる。
【００６０】
続いて、本実施形態にかかる光ファイバ選択システムの動作について説明し、併せて、本発明の実施形態にかかる光ファイバ伝送路の製造方法について説明する。尚、本発明の実施形態にかかる光ファイバの選択方法は、上記実施形態にかかる光ファイバ伝送路の製造方法に含まれる。
【００６１】
図３は、本実施形態にかかる光ファイバ選択システム１０の動作（光ファイバ接続装置１８の動作も含む）を示すフローチャートである。
【００６２】
本実施形態にかかる光ファイバ選択システム１０の動作にあたっては、まず、図３に示すように、光ファイバ選択部１４により、光ファイバデータベース１２ａに特性が格納されている複数の選択候補光ファイバの中から、遺伝的アルゴリズムを用いて、所定の特性を有する光ファイバ伝送路を構成するための１又は複数の光ファイバが選択される（Ｓ１２）。より詳細には、複数の選択候補光ファイバそれぞれが選択されるか否かをそれぞれ”１”、”０”で表した”１”と”０”との配列（選択候補光ファイバが１００本有れば、１００桁の２進数の配列）が遺伝子にみたてられ、選択、交配、突然変異が行われながら世代が繰り返され、光ファイバ伝送路に関して予め定められた評価指標に対して適応度の高い光ファイバの組み合わせが探索され、探索された光ファイバが光ファイバ伝送路を構成するための光ファイバとして選択される。以下、遺伝的アルゴリズムによって光ファイバが選択される具体的手順については詳述する。
【００６３】
図４は、遺伝的アルゴリズムによって光ファイバを選択する具体的手順を示すフローチャートである。遺伝的アルゴリズムによって光ファイバ伝送路を構成するための光ファイバを選択するに当たっては、まず、図４に示すように、遺伝的アルゴリズムに用いるパラメタと、適応度の算出式との入力が行われる（Ｓ２２）。ここで、遺伝的アルゴリズムに用いるパラメタとしては、光ファイバの組み合わせ候補の数に対応する各世代毎の遺伝子数、各世代における交叉確率（又は交叉数）、突然変異確率（又は突然変異数）、エリート選択率（又はエリート選択数）、繰返し世代数（又は世代を繰り返すための条件）などが該当する。
【００６４】
続いて、初期候補、すなわち、第１世代の遺伝子の生成が行われる（Ｓ２４）。初期候補の生成は、複数の選択候補光ファイバそれぞれが選択されるか否かをそれぞれ”１”、”０”で表した”１”と”０”との配列（選択候補光ファイバが１００本有れば、１００桁の２進数の配列）を遺伝子として生成することによって行われる。この場合、複数の選択候補光ファイバそれぞれについて乱数を発生させ、この乱数に基づいて複数の選択候補光ファイバそれぞれが選択されるか否か、すなわち”１”か”０”かを決定すればよい。ここでは、パラメタ・適応度算出式入力ステップＳ２２において入力された各世代毎の遺伝子数（例えば１００個）だけ、遺伝子が生成される。尚、選択される光ファイバの数に上限を設ける場合、上限を越える組み合わせについて予め排除するようにしてもよい。
【００６５】
世代における候補が生成されると、生成された複数の候補それぞれの適応度が評価される（Ｓ２６）。図５は、適応度評価の具体的手順を示すフローチャートである。適応度評価に当たっては、図５に示すように、まず、特性値の算出が行われる（Ｓ５２）。より具体的には、かかる特性値として、選択された光ファイバの数（すなわち、光ファイバ伝送路を構成する光ファイバの数）、選択された複数の光ファイバそれぞれの波長分散（かかる波長分散は、光ファイバデータベース１２ａから読み出される）、光ファイバ伝送路の波長分散が算出される。
【００６６】
特性値が算出されると、かかる特性値に基づいて、廃却長の調整処理が行われる（Ｓ５４）。図６は、廃却長の調整処理の具体的手順を示すフローチャートである。廃却長の調整処理においては、まず、選択された光ファイバを用いて所望の長さの光ファイバ伝送路を構成する場合の廃却長（すなわち、余分な長さ）が算出される（Ｓ７２）。より具体的には、まず、選択された複数の光ファイバの長さの総和（選択された光ファイバが一つで有ればその長さ）から構成すべき光ファイバ伝送路の長さを引き、その差が廃却長として算出される。尚、この場合、廃却長に上限を設けたり、廃却後の光ファイバ長に下限を設けたりすることもできる。
【００６７】
廃却長の上限を設けるのは、廃却する光ファイバ長が長いと廃却前と特性が変わる可能性があるため、初期の特性と合うように組み合わせておいた光ファイバ伝送路の特性が予想とずれてしまうのを避けるためである。
【００６８】
例えば、構成する伝送路の長さよりこの伝送路に使用する光ファイバ長の総和の方が３３００ｍ長い場合、３３００ｍを廃却して長さを合わせることになる。１本の光ファイバからの廃却長の上限を３０００ｍとすると、伝送路に使用する光ファイバのうち１本から１６００ｍ、他の１本から１７００ｍを廃却して１本からの廃却長を短くすることができる。
【００６９】
また伝送路に使用する光ファイバ長（余分な長さを廃却した後の長さ）の下限規定が４２００ｍとすると、構成する伝送路の長さよりこの伝送路に使用する光ファイバ長の総和の方が４００ｍ長く、４４００ｍの光ファイバが含まれている場合、４４００ｍから４００ｍを廃却すると下限規定を満たさなくなる。この場合、他の光ファイバから余分な長さを廃却して、４４００ｍからの廃却を２００ｍ以下とすることができる。
【００７０】
その結果、廃却長が正で有るか否かが判断され（Ｓ７４）、廃却長が正でない場合（例えば廃却長が０の場合）は、その後の特段の処理は行われずに廃却長の調整処理は終了する。
【００７１】
一方、廃却長が正である場合は、選択された複数の光ファイバのうちいずれの光ファイバから廃却長を切り出すかが決定される（Ｓ７６）。より具体的には、選択された複数の光ファイバそれぞれから廃却長を除却したと仮定して光ファイバ伝送路の波長分散を算出し、光ファイバ伝送路の波長分散が最も目標値に近くなるように、廃却長を除却すべき光ファイバを決定する。尚、選択された光ファイバが１つである場合は、当該光ファイバから廃却長が除却されることになる。
【００７２】
図５に戻って、廃却長の調整処理が終わると、当該廃却長が除却された状態で、再度、選択された光ファイバの数、選択された複数の光ファイバそれぞれの波長分散、光ファイバ伝送路の波長分散などの特性値の算出が行われる（Ｓ５６）。尚、既に算出されて格納手段等に格納されている場合は、かかる特性値が読み出されて使用される。
【００７３】
廃却長の調整処理後に特性値が再度算出されると、続いて、算出された特性値が用いられて、生成された複数の候補それぞれの適応度が算出される（Ｓ５８）。ここで、適応度Ｅは、例えば下記式（２）に従って算出される。
【数２】
0004337276.tif 000003
ここで、ｎは、評価に用いられる特性の数（選択された光ファイバの数、選択された複数の光ファイバそれぞれの波長分散、光ファイバ伝送路の波長分散、廃却長の４つの特性に基づいて評価を行うのであればｎ＝４）、ｘiはｉ番目の特性についての特性値、ｘｔiはｉ番目の特性についての目標値、σiはｉ番目の特性に関して分子を規格化するための係数（複数の特性それぞれについて定められる）、αiはｉ番目の特性の適応度Ｅに対する重みである。尚、αi（ｉ＝１〜ｎ）は、光ファイバ伝送路における種々の特性の重要度あるいは優先度に応じて決定される。この場合、例えば、「長いファイバ」、「ロスの大きいファイバ」など通常であれば使用しにくい光ファイバが選択された場合に適応度Ｅが大きくなるようにしたり、廃却長が少なくなる場合に適応度Ｅが大きくなるようしたりすることもできる。ここでは、光ファイバ伝送路の特性が目標値に近いほど適応度Ｅが大きくなる。
【００７４】
適応度が算出されると、現在の世代数が指定世代数よりも大きいか否かが判断される（Ｓ６０）。ここで、現在の世代数が指定世代数以下である場合は、特段の処理を行うことなく、適応度評価処理が終了する。一方、現在の世代数が指定世代数よりも大きい場合は、上記式（２）に従って算出された適応度が修正される（Ｓ６２）。より具体的には、まず、評価に用いられた複数の特性のすべてあるいは一部について、その特性値が目標値を含む一定範囲（規格範囲）にあるか否かが判断される。ここで、目標値を含む一定範囲（規格範囲）からはずれる特性値が存在する毎に、例えば０．０１を乗ずるなどして適応度Ｅを小さくしていく。ここで、上記指定世代数は、繰り返し世代数よりも一定回数だけ小さい数である。このようにすることで、計算の後半（繰り返し世代数に近づいた段階）で、規格に沿う光ファイバ伝送路を構成するための光ファイバを効率よく選択できるようになる。
【００７５】
世代における候補それぞれの適応度が評価されると、図４に戻って、エリート選択が行われる（Ｓ２８）。エリート選択は、当該世代における候補（遺伝子）のうち、エリート選択率に応じて、適応度の高い候補（遺伝子）を無条件で次世代の候補（遺伝子）として決定する処理である。例えば、各世代毎の遺伝子数が１００であり、エリート選択率が０．２である場合、当該世代における１００の候補のうち、適応度Ｅが高い２０の候補が無条件で次世代の候補とされる。
【００７６】
エリート選択が行われた後、次世代の残りの候補を決定するために、ルーレット選択が行われる（Ｓ３０）。ルーレット選択は、上記エリート選択によって選択された候補を除いた当該世代の候補の中から、乱数などを用いて、次世代の残りの候補を選択する。この場合、適応度Ｅの高い候補ほど高確率で選択されるようにする。ここでは、ルーレット選択により、各世代毎の遺伝子数から既に選択されているエリート数を引いた数だけ、次世代の候補を選択する。この場合、同一の候補が重複して選択されても良い。
【００７７】
続いて、ルーレット選択によって選択された候補について、交叉および突然変異が行われる（Ｓ３２）。交叉については、予め入力された交叉確率に従い、特定の２つの候補の遺伝子（”１”と”０”との配列）の一部を入れ替える。また、突然変異については、予め入力された突然変異確率に従い、特定の遺伝子（”１”と”０”との配列）の”１”あるいは”０”を反転させる。
【００７８】
交叉および突然変異が終わると、エリート選択によって選択された候補とルーレット選択によって選択されて交叉および突然変異を経由した候補とが次世代の候補として決定される（Ｓ３４）。
【００７９】
続いて、現在の世代数が予め入力された繰り返し世代数を越えたか否かが判断され（Ｓ３６）、現在の世代数が予め入力された繰り返し世代数を越えていない場合は、適応度評価（Ｓ２６）〜次世代候補決定（Ｓ３４）までの処理が繰り返される。一方、現在の世代数が予め入力された繰り返し世代数を越えた場合は、かかる世代において適応度の一番高い遺伝子の配列によって記述される１または複数の光ファイバが、光ファイバ伝送路を構成する光ファイバとして決定される（Ｓ３８）。また、複数の光ファイバ伝送路を構成する場合は、指定数の光ファイバ伝送路が構成されるまで、初期候補生成（Ｓ２４）〜光ファイバ決定（Ｓ３８）までの処理が繰り返される（Ｓ４０）。この場合、既に選択された光ファイバは、その後の処理において、選択候補光ファイバから除かれる。また、指定数の光ファイバ伝送路が未だ構成されない場合であっても、選択候補となる光ファイバが無くなった時点で処理は終了する。
【００８０】
光ファイバ伝送路を構成する光ファイバの選択処理が終了すると、図３に戻って、配列順序決定部１６により、選択された光ファイバの配列順序が決定される（Ｓ１４）。より詳細には、光ファイバ伝送路を構成する光ファイバとして、光ファイバ選択部１４によって複数の光ファイバが選択された場合、光ファイバ伝送路の等価実効コア断面積が最大となるように、選択された複数の光ファイバそれぞれの配列順序が決定される。ここで、複数の光ファイバを接続してなる光ファイバ伝送路の等価実効コア断面積は、既に述べた式（１）によって表される。従って、上記式（１）の値が最大となるように、複数の光ファイバそれぞれの配列順序が決定される。例えば、光ファイバ選択部１４によって選択された光ファイバについて考えられるあらゆる配列順序に関して上記式（１）を用いて光ファイバ伝送路の等価実効コア断面積が算出され、かかる等価実効コア断面積が最大となるように配列順序が決定される。尚、光ファイバ選択部１４により、光ファイバ伝送路を構成する光ファイバとして単一の光ファイバが選択された場合、配列順序の決定は行われない。
【００８１】
配列順序決定部１６によって、選択された光ファイバの配列順序が決定されると、選択された光ファイバ及び配列順序に関する情報は光ファイバ選択システム１０から光ファイバ接続装置１８へと出力され、上記光ファイバ選択部１４によって選択された複数の光ファイバそれぞれは、配列順序決定部１６によって決定された配列順序（電子データとして記録されたもの、紙媒体にプリントアウトされたものなど）に従い、光ファイバ接続装置１８によって接続される（Ｓ１６）。その結果、かかる複数の光ファイバによって構成される光ファイバ伝送路が製造される。
【００８２】
図７は、上記詳述した本実施形態にかかる光ファイバ伝送路の製造方法を模式的に示す図である。図７に示すように、複数の選択候補光ファイバ２０の中から、光ファイバ伝送路を構成する複数の光ファイバ２２を遺伝的アルゴリズムを用いて選択し、選択された複数の光ファイバ２２の配列順序を決定し、かかる配列順序に従って光ファイバを接続することにより、本発明の実施形態にかかる光ファイバ伝送路２４が製造される。また、このように製造された１又は複数の光ファイバ伝送路を束ねて被覆することにより、本発明の実施形態にかかる光ファイバケーブル２６を製造することもできる。
【００８３】
続いて、本実施形態にかかる光ファイバ選択システムの作用及び効果について説明する。本実施形態にかかる光ファイバ選択システム１０は、互いに異なる特性を有する複数の選択候補光ファイバの中から、所定の特性を有する光ファイバ伝送路を構成するための１又は複数の光ファイバを選択するに際し、光ファイバ選択部１４が遺伝的アルゴリズムを用いて光ファイバを選択する。従って、総当たり法によって光ファイバを選択する場合と比較して、極めて少ない計算回数で光ファイバを選択することができ、また、共益勾配法などの最適化手法によって光ファイバを選択する場合と比較して、局所的な最適解（ローカルミニマム）に陥る可能性が低減され、全体にわたって好適な光ファイバあるいは光ファイバの組み合わせを選択することができる。その結果、光ファイバ伝送路を構成するための１又は複数の光ファイバを効率よく選択することが可能となる。また、光ファイバを効率よく選択することができるため、光ファイバの廃却損を低減することも可能である。
【００８４】
また、信号光波長における波長分散が正である光ファイバと、信号光波長における波長分散が負である光ファイバとの双方を接続して光ファイバ伝送路を構成する場合は、上記２種の光ファイバそれぞれの長さ比などをも考慮しなければならず、光ファイバ選択の困難性は増大する。従って、このような場合に本実施形態にかかる光ファイバ選択システム１０の如く、遺伝的アルゴリズムを用いて光ファイバを選択することで、かかる光ファイバ選択の困難性を緩和することができる。
【００８５】
また、上記実施形態にかかる光ファイバ選択システム１０においては、選択候補光ファイバあるいは光ファイバ伝送路の特性として、選択された光ファイバの数（接続点数）、選択された複数の光ファイバそれぞれの波長分散、光ファイバ伝送路の波長分散、廃却長廃却長（長さ）を用いて適応度Ｅを算出し、かかる適応度Ｅに基づいて光ファイバを選択していたが、選択候補光ファイバあるいは光ファイバ伝送路のその他の特性を用いて光ファイバを選択してもよい。その他の特性としては、例えば、分散スロープ、実効コア断面積、伝送損失などが該当する。
【００８６】
特に、信号光波長における分散スロープが正である光ファイバと、信号光波長における分散スロープが負である光ファイバとの双方を接続して光ファイバ伝送路を構成する場合は、上記２種の光ファイバそれぞれの長さ比などをも考慮しなければならず、光ファイバ選択の困難性は増大する。従って、このような場合に本実施形態にかかる光ファイバ選択システム１０の如く、遺伝的アルゴリズムを用いて光ファイバを選択することで、かかる光ファイバ選択の困難性を緩和することができる。
【００８７】
また、本実施形態にかかる光ファイバ選択システム１０は、配列順序決定部１６が、光ファイバ伝送路の等価実効コア断面積が最大となるように、選択された複数の光ファイバそれぞれの配列順序を決定する。従って、信号伝送に悪影響を及ぼす非線形現象の発生を低減することができる。その結果、光ファイバ伝送路における信号の伝送効率を高めることが可能となる。
【００８８】
また、本実施形態にかかる光ファイバ選択システム１０においては、光ファイバ選択部１４が選択した１又は複数の光ファイバのＩＤ（光ファイバを特定する情報）と配列順序決定部１６が決定した配列順序（配列順序を特定する情報）とを、「光ファイバ接続指示書」として、図８に示すような、紙などの記録媒体２８に印刷出力するようにしても良い。この場合、記録媒体２８には、選択された光ファイバのＩＤと、それぞれの光ファイバの配列順序と、それぞれの光ファイバの特性とが、表形式で印刷出力される。ここで、記録媒体２８は、紙媒体のみならず、フロッピーディスクなどの電子記録媒体などでも良い。選択された光ファイバのＩＤと配列順序とを記録した記録媒体２８を用いれば、これらの情報を容易に第３者に伝達することが可能となる。
【００８９】
最後に、本発明の実施形態にかかる光ファイバ選択プログラム、および、当該光ファイバ選択プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００９０】
図９は、本発明の実施形態にかかる記録媒体の構成図である。記録媒体３０は、図９に示すように、プログラムを記録するプログラム領域３０ａを備えている。このプログラム領域３０ａには、光ファイバ選択プログラム３２が記録されている。光ファイバ選択プログラム３２は、コンピュータに、互いに異なる特性を有する複数の選択候補光ファイバの中から、所定の特性を有する光ファイバ伝送路を構成するための１又は複数の光ファイバを選択させる光ファイバ選択プログラムであって、図９に示すように、処理を統括するメインモジュール３２ａと、複数の選択候補光ファイバの中から、遺伝的アルゴリズムを用いて、上記１又は複数の光ファイバを選択する光ファイバ選択モジュール３２ｂと、光ファイバ選択モジュール３２ｂをコンピュータに実行させ、複数の光ファイバが選択された場合に、上記光ファイバ伝送路の等価実効コア断面積が最大となるように、選択された複数の光ファイバそれぞれの配列順序を決定する配列順序決定モジュール３２ｃとを備えて構成される。ここで、光ファイバ選択モジュール３２ｂ、配列順序決定モジュール３２ｃそれぞれを動作させることによって実現する機能は、上記光ファイバ選択システム１０の光ファイバ選択部１４、配列順序決定部１６それぞれの機能と同様である。尚、この場合、上記光ファイバ選択システム１０の格納部１２に格納されていた光ファイバデータベース１２ａは、記録媒体３０のデータ領域に格納されていても良いし、別の記録媒体に格納されていても良い。
【００９１】
図１０は、記録媒体３０に記録された光ファイバ選択プログラム３２を実行するためのコンピュータ（例えばサーバシステム）のシステム構成図であり、図１１は、記録媒体３０に記録された光ファイバ選択プログラム３２を実行するためのコンピュータの斜視図である。コンピュータ１００は、図１０及び図１１に示すように、読み取り装置１０２と、オペレーティングシステム（ＯＳ）を常駐させた作業用メモリ（ＲＡＭ）１０４と、表示手段であるディスプレイ１０６と、入力手段であるマウス１０８及びキーボード１１０と、通信手段である通信ユニット１１２と、光ファイバ選択プログラム３２の実行等を制御するＣＰＵ１１４とを備えている。ここで、記録媒体３０が読み取り装置１０２に挿入されると、記録媒体３０に記録された情報が読み取り装置１０２からアクセス可能となり、記録媒体３０のプログラム領域３０ａに記録された光ファイバ選択プログラム３２が、コンピュータ１００によって実行可能となる。
【００９２】
上記読み取り装置１０２としては、記録媒体３０に対応して、フレキシブルディスクドライブ装置、ＣＤ−ＲＯＭドライブ装置、あるいは磁気テープドライブ装置などが用いられる。
【００９３】
また、この場合、複数の選択候補光ファイバには、信号光波長における波長分散が正である光ファイバと、信号光波長における波長分散が負である光ファイバとの双方が含まれており、光ファイバ選択プログラム３２の光ファイバ選択モジュール３２ｂが、信号光波長における波長分散が正である光ファイバと信号光波長における波長分散が負である光ファイバとの双方を含むように、１又は複数の光ファイバを選択するようにすることもできる。
【００９４】
また、複数の選択候補光ファイバには、信号光波長における分散スロープが正である光ファイバと、信号光波長における分散スロープが負である光ファイバとの双方が含まれており、光ファイバ選択プログラム３２の光ファイバ選択モジュール３２ｂが、信号光波長における分散スロープが正である光ファイバと信号光波長における分散スロープが負である光ファイバとの双方を含むように、１又は複数の光ファイバを選択するようにすることもできる。
【００９５】
また、上記光ファイバ選択プログラム３２は記録媒体３０に記録されたものであったが、これは、ネットワークを介してパーソナルコンピュータやワークステーションなどに配信（送信）されるものであってもよい。
【００９６】
【発明の効果】
本発明の光ファイバ選択システム、光ファイバ選択方法、光ファイバ伝送路の製造方法、光ファイバ伝送路、光ファイバケーブルは、互いに異なる特性を有する複数の選択候補光ファイバの中から、所定の特性を有する光ファイバ伝送路を構成するための１又は複数の光ファイバを選択するに際し、遺伝的アルゴリズムを用いて光ファイバを選択する。従って、総当たり法によって光ファイバを選択する場合と比較して、極めて少ない計算回数で光ファイバを選択することができ、また、共益勾配法などの最適化手法によって光ファイバを選択する場合と比較して、局所的な最適解（ローカルミニマム）に陥る可能性が低減され、全体にわたって好適な光ファイバあるいは光ファイバの組み合わせを選択することができる。その結果、光ファイバ伝送路を構成するための１又は複数の光ファイバを効率よく選択することが可能となる。
【００９７】
また、本発明によって、光ファイバ伝送路の特性が、構成される複数の選択光ファイバの特性の算術和にならない場合でも、その特性を予測し、最適な光ファイバを選択することが可能になる。また、構成される選択光ファイバを分割切断して光ファイバ伝送路が構成される場合において、分割切断される光ファイバの特性が単純な按分比で算出されない場合でも、分割後の光ファイバの特性を予測することにより、光ファイバ伝送路を構成する最適な光ファイバを選択することが可能になる。
【００９８】
また、信号光波長における波長分散が正である光ファイバと、信号光波長における波長分散が負である光ファイバとの双方を接続して光ファイバ伝送路を構成する場合は、上記２種の光ファイバそれぞれの長さ比などをも考慮しなければならず、光ファイバ選択の困難性は増大する。従って、このような場合に本発明の光ファイバ選択システム、光ファイバ選択方法、光ファイバ伝送路の製造方法、光ファイバ伝送路、光ファイバケーブルの如く、遺伝的アルゴリズムを用いて光ファイバを選択することで、かかる光ファイバ選択の困難性を緩和することができる。
【００９９】
同様に、信号光波長における分散スロープが正である光ファイバと、信号光波長における分散スロープが負である光ファイバとの双方を接続して光ファイバ伝送路を構成する場合は、上記２種の光ファイバそれぞれの長さ比などをも考慮しなければならず、光ファイバ選択の困難性は増大する。従って、このような場合に本発明の光ファイバ選択システム、光ファイバ選択方法、光ファイバ伝送路の製造方法、光ファイバ伝送路、光ファイバケーブルの如く、遺伝的アルゴリズムを用いて光ファイバを選択することで、かかる光ファイバ選択の困難性を緩和することができる。
【０１００】
また、本発明の光ファイバ選択システム、光ファイバ選択方法、光ファイバ伝送路の製造方法、光ファイバ伝送路、光ファイバケーブルにおいては、光ファイバ伝送路の等価実効コア断面積が最大となるように、選択された複数の光ファイバそれぞれの配列順序を決定することで、信号伝送に悪影響を及ぼす非線形現象の発生を低減することができる。その結果、光ファイバ伝送路における信号の伝送効率を高めることが可能となる。
【０１０１】
また、本発明の光ファイバ選択プログラムは、当該プログラムをコンピュータに実行させ、互いに異なる特性を有する複数の選択候補光ファイバの中から、所定の特性を有する光ファイバ伝送路を構成するための１又は複数の光ファイバを選択するに際し、遺伝的アルゴリズムを用いて光ファイバを選択する。従って、総当たり法によって光ファイバを選択する場合と比較して、極めて少ない計算回数で光ファイバを選択することができ、また、共益勾配法などの最適化手法によって光ファイバを選択する場合と比較して、局所的な最適解（ローカルミニマム）に陥る可能性が低減され、全体にわたって好適な光ファイバあるいは光ファイバの組み合わせを選択することができる。その結果、光ファイバ伝送路を構成するための１又は複数の光ファイバを効率よく選択することが可能となる。
【０１０２】
また、信号光波長における波長分散が正である光ファイバと、信号光波長における波長分散が負である光ファイバとの双方を接続して光ファイバ伝送路を構成する場合は、上記２種の光ファイバそれぞれの長さ比などをも考慮しなければならず、光ファイバ選択の困難性は増大する。従って、このような場合に本発明の光ファイバ選択プログラムをコンピュータに実行させ、遺伝的アルゴリズムを用いて光ファイバを選択することで、かかる光ファイバ選択の困難性を緩和することができる。
【０１０３】
同様に、信号光波長における分散スロープが正である光ファイバと、信号光波長における分散スロープが負である光ファイバとの双方を接続して光ファイバ伝送路を構成する場合は、上記２種の光ファイバそれぞれの長さ比などをも考慮しなければならず、光ファイバ選択の困難性は増大する。従って、このような場合に本発明の光ファイバ選択プログラムをコンピュータに実行させ、遺伝的アルゴリズムを用いて光ファイバを選択することで、かかる光ファイバ選択の困難性を緩和することができる。
【０１０４】
また、本発明の光ファイバ選択プログラムにおいては、光ファイバ伝送路の等価実効コア断面積が最大となるように、選択された複数の光ファイバそれぞれの配列順序を決定することで、信号伝送に悪影響を及ぼす非線形現象の発生を低減することができる。その結果、光ファイバ伝送路における信号の伝送効率を高めることが可能となる。
【図面の簡単な説明】
【図１】光ファイバ選択システムの構成図である。
【図２】光ファイバデータベースの構成図である。
【図３】光ファイバ選択システムの動作を示すフローチャートである。
【図４】光ファイバ選択システムの動作を示すフローチャートである。
【図５】光ファイバ選択システムの動作を示すフローチャートである。
【図６】光ファイバ選択システムの動作を示すフローチャートである。
【図７】光ファイバ伝送路の製造方法を模式的に示す図である。
【図８】記録媒体の構成図である。
【図９】記録媒体の構成図である。
【図１０】コンピュータのシステム構成図である。
【図１１】コンピュータの斜視図である。
【符号の説明】
１０…光ファイバ選択システム、１２…格納部、１２ａ…光ファイバデータベース、１４…光ファイバ選択部、１６…配列順序決定部、１８…光ファイバ接続装置、２４…光ファイバ伝送路、２６…光ファイバケーブル、２８…記録媒体、３０…記録媒体、３２…光ファイバ選択プログラム、３２ａ…メインモジュール、３２ｂ…光ファイバ選択モジュール、３２ｃ…配列順序決定モジュール
【図１】
0004337276.tif 000004
【図２】
0004337276.tif 000005
【図３】
0004337276.tif 000006
【図４】
0004337276.tif 000007
【図５】
0004337276.tif 000008
【図６】
0004337276.tif 000009
【図７】
0004337276.tif 000010
【図８】
0004337276.tif 000011
【図９】
0004337276.tif 000012
【図１０】
0004337276.tif 000013
【図１１】
0004337276.tif 000014